(57)【要約】      （修正有）【課題】装飾用ストラップ等を付けるためのストラップホールが形成されていない携帯端末も装飾することができる携帯端末用アクセサリを提供する。【解決手段】携帯端末用アクセサリ１００は、携帯端末のジャック孔に着脱可能に差し込まれ嵌合される挿入部２０と、挿入部の端部に形成された雄ネジ部に着脱可能に螺合される装飾部３０とからなる。【選択図】図１
0003170868.tif 000002
【実用新案登録請求の範囲】
【請求項１】
携帯端末のジャック孔に着脱可能に差し込まれ嵌合される挿入部と、前記挿入部の端部に形成された雄ネジ部に着脱可能に螺合される装飾部とからなることを特徴とする携帯端末用アクセサリ。
【請求項２】
前記雄ネジ部は、前記挿入部の前記ジャック孔に嵌合される先端部に対向する端部に形成され、
前記装飾部は、前記雄ネジ部に着脱可能に螺合される雌ネジ部が内部に形成される基礎部と、前記基礎部の上に形成されるアクセサリ部とを有することを特徴とする請求項１に記載の携帯端末用アクセサリ。
【請求項３】
前記先端部は、先に向かって細くなる形状を有することを特徴とする請求項２に記載の携帯端末用アクセサリ。
【請求項４】
前記挿入部は略円柱状の外形を有し、前記円柱の外周に複数の溝が形成されていることを特徴とする請求項１から請求項３のいずれか一つに記載の携帯端末用アクセサリ。
【請求項５】
前記挿入部は樹脂からなることを特徴とする請求項１から請求項４のいずれか一つに記載の携帯端末用アクセサリ。
【請求項６】
前記樹脂はポリアセタールであることを特徴とする請求項５に記載の携帯端末用アクセサリ。
【請求項７】
前記基礎部は一方の底に開口を有する略円筒状の外形を有し、前記円筒の縁部は他の部分より肉厚であることを特徴とする請求項１から請求項６のいずれか一つに記載の携帯端末用アクセサリ。
【請求項８】
前記アクセサリ部は、クリスタルガラスを含むことを特徴とする請求項１から請求項７のいずれか一つに記載の携帯端末用アクセサリ。
【考案の詳細な説明】
【技術分野】
【０００１】
本考案は、携帯電話等の携帯端末用アクセサリに関し、より詳細には、スマートフォンなど装飾用ストラップ等を付けるためのストラップホールが形成されていない携帯端末を装飾するためのアクセサリに関する。
【背景技術】
【０００２】
近年、携帯端末として、携帯電話・ＰＨＳと携帯情報端末（ＰＤＡ）を融合した、いわゆるスマートフォン等が多くのユーザに利用されている。これらのスマートフォンの中には、従来の携帯電話端末と異なり、ストラップ等を付けるためのストラップホールが形成されていないものも存在する。従来のストラップホールが形成されている携帯電話を使用していたユーザにとっては、スマートフォンに従来の携帯端末用アクセサリである装飾用ストラップ等の装飾品を付けることができないという不満があり、スマートフォンにアクセサリ等を付けて携帯電話を装飾することができないという問題があった。
【０００３】
従来の携帯端末用アクセサリとしては、携帯端末のケースに設けられたストラップホールにループ状の糸を通して携帯端末に結び付けられる携帯ストラップがある。また、携帯端末のケース表面にラインストーンを接着させたりシールを貼ったりして装飾する携帯端末の装飾方法も利用されている。
【０００４】
しかし、従来の携帯端末用アクセサリにおいては、携帯ストラップはストラップホールが形成されていない携帯端末に用いることができず、携帯端末のケース表面にラインストーンやシールを接着・貼付する装飾方法は、装飾品を一度接着・貼付した後に他の装飾品に付け替えることが困難であるという問題があった。
【０００５】
その他の従来の携帯端末用アクセサリとして、例えば携帯電話機のイヤホンジャックカバーに取り付ける装飾用グッズ（実用新案登録第３０８８４９６号）がある。
【０００６】
しかし、上記装飾用グッズは、イヤホンジャックカバーに突き刺して装着する構造を有するため、イヤホンジャックカバーを有しない携帯端末には装着することができないという問題がある。現在販売されている携帯電話の中にも、イヤホンジャックカバーが形成されず、ジャック孔が露出しているものが多く存在する。
【０００７】
また、上記装飾用グッズは装飾部と装着部とを着脱することができない構造を有するため、装着部に破損や摩耗等の損傷が生じた場合には、装飾部を含む装飾用グッズ全体が使用できなくなるという問題があった。したがって、上記装飾用グッズにおいては、損傷した装着部のみを新しい装着部に取り替えて、同じ装飾部を長期間使用し続けることができないという問題もある。この問題は、装飾部に高価な宝石や貴金属を用いる場合に特に顕著となる。
【先行技術文献】
【特許文献】
【０００８】
【特許文献１】実用新案登録第３０８８４９６号公報
【考案の概要】
【考案が解決しようとする課題】
【０００９】
そこで、本考案においては、装飾用ストラップ等を付けるためのストラップホールが形成されていない、いわゆるスマートフォンなどの携帯端末であっても装飾することができる携帯端末用アクセサリを提供することを目的とする。
【００１０】
また、本考案においては、携帯端末に装着される部分が損傷した場合でも同じ装飾部を長期間使用することができる携帯端末用アクセサリを提供することを目的とする。
【課題を解決するための手段】
【００１１】
本考案の一実施形態にかかる携帯端末用アクセサリは、携帯端末のジャック孔に着脱可能に差し込まれ嵌合される挿入部と、挿入部の端部に形成された雄ネジ部に着脱可能に螺合される装飾部とからなる。
【００１２】
また、本考案の他の実施形態にかかる携帯端末用アクセサリにおいて、雄ネジ部は、挿入部のジャック孔に嵌合される先端部に対向する端部に形成され、装飾部は、雄ネジ部に着脱可能に螺合される雌ネジ部が内部に形成される基礎部と、基礎部の上に形成されるアクセサリ部とを有するものでもよい。
【００１３】
また、本考案の他の実施形態にかかる携帯端末用アクセサリにおいて、先端部は、先に向かって細くなる形状を有するものでもよい。
【００１４】
また、本考案の他の実施形態にかかる携帯端末用アクセサリにおいて、挿入部は略円柱状の外形を有し、円柱の外周に複数の溝が形成されているものでもよい。
【００１５】
また、本考案の他の実施形態にかかる携帯端末用アクセサリにおいて、挿入部は樹脂からなるものでもよい。
【００１６】
また、本考案の他の実施形態にかかる携帯端末用アクセサリにおいて、樹脂はポリアセタールであってもよい。
【００１７】
また、本考案の他の実施形態にかかる携帯端末用アクセサリにおいて、基礎部は一方の底に開口を有する略円筒状の外形を有し、円筒の縁部は他の部分より肉厚であってもよい。
【００１８】
また、本考案の他の実施形態にかかる携帯端末用アクセサリにおいて、アクセサリ部は、クリスタルガラスを含むものでもよい。
【考案の効果】
【００１９】
本考案にかかる携帯端末用アクセサリによれば、ストラップ等を付けるためのストラップホールが形成されていない携帯端末に対してもアクセサリを付けて装飾することができる。
【００２０】
また、本考案にかかる携帯端末用アクセサリによれば、内部にイヤホン端子が形成されたジャック孔を本考案にかかる携帯端末用アクセサリで塞ぐことにより、ジャック孔にほこりや水が浸入するのをある程度防ぐことができる。
【００２１】
さらに、本考案にかかる携帯端末用アクセサリによれば、装飾部のみを容易に付け替えることができるため、携帯端末ユーザの気分やＴＰＯに合わせて様々な装飾を施すことができる。
【００２２】
さらに、本考案にかかる携帯端末用アクセサリによれば、挿入部のみを容易に交換することができるため、長期間同じ携帯端末用アクセサリを使用することによる摩耗等によって挿入部が劣化・損傷した場合でも、挿入部のみを交換することによって、同じ装飾部を長期間継続して使用することができる。
【００２３】
このように、本考案にかかる携帯端末用アクセサリによれば、自分の好みに合った携帯端末用アクセサリをジャック孔に装着することができるので、携帯端末ユーザの好みや気分に合わせて携帯電話を装飾することができる。これにより、携帯端末ユーザは自己の個性を十分に表現することができ、さらに他人の携帯端末との差別化を図ることができる。
【図面の簡単な説明】
【００２４】
【図１】本考案にかかる携帯端末用アクセサリの概略図である。
【図２】（Ａ）は本考案にかかる携帯端末用アクセサリにおける装飾部の概略図である。（Ｂ）は本考案にかかる携帯端末用アクセサリにおける挿入部の概略図である。
【図３】（Ａ）は本考案にかかる携帯端末用アクセサリにおける装飾部の平面図である。（Ｂ）は図２（Ａ）のａ‐ａ’線から見た断面図である。
【図４】本考案にかかる携帯端末用アクセサリにおける基礎部の概略図である。
【図５】本考案にかかる携帯端末用アクセサリにおける基礎部の平面図である。
【図６】図４のｂ‐ｂ’線から見た断面図である。
【図７】本考案にかかる携帯端末用アクセサリを取り付けた携帯端末を示す正面平面図である。
【図８】（Ａ）は本考案にかかる携帯端末用アクセサリを取り付ける前の携帯端末を示す上面平面図である。（Ｂ）は本考案にかかる携帯端末用アクセサリを取り付けた後の携帯端末を示す上面平面図である。
【考案を実施するための形態】
【００２５】
以下、本考案を実施するための形態について説明する。なお、本考案は、以下の説明に限定されることなく、種々の異なる態様での実施が可能である。以下では、同一の部材、同一に定義される部材には同じ符号を用いる。
【００２６】
図１は、本考案の一実施形態にかかる携帯端末用アクセサリ１００の全体図であり、図２は、本考案の一実施形態にかかる携帯端末用アクセサリ１００を装飾部３０と挿入部２０とに分離した図である。
【００２７】
図１及び図２を参照すると、本考案の一実施形態にかかる携帯端末用アクセサリ１００は、挿入部２０と装飾部３０とを有し、挿入部２０は装飾部３０に脱着可能に螺合可能な構造を有する。
【００２８】
図２（B）を参照すると、挿入部２０は、イヤホンプラグを挿入するために携帯端末２００（図７及び図８参照）に形成されているジャック孔２２０（図８（Ａ）参照）に挿入可能な形状を有し、挿入部２０全体の外形は略円柱状であってもよい。
【００２９】
同じく図２（B）を参照すると、挿入部２０の携帯端末に挿入される側に対向する側の端部には雄ネジ部２２が形成される。雄ネジ部２２は、装飾部３０の内部に形成される雌ネジ部と螺合することにより、挿入部２０と装飾部３０とを脱着可能に螺合するという機能を有する。
【００３０】
挿入部２０と装飾部３０とを螺合させるための構造を具体的に説明すると、図２（Ａ）に示すように、装飾部３０は内部に雌ネジ部３２が形成されている基礎部３４を有する。また、図２（Ｂ）に示すように、挿入部の端部には雄ネジ部２２が形成されている。基礎部３４の内部に形成された雌ネジ部３２は、挿入部２０の端部に形成された雄ネジ部２２に対応する形状に形成されている。雌ネジ部３２及び雄ネジ部２２は、互いに螺合される形状であればネジ山の数や形状等は任意のもので足り、添付の図に示す例に限定されるものではない。
【００３１】
このような構造により、本考案にかかる携帯端末用アクセサリは、挿入部２０と装飾部３０とを容易に分離することができることから、携帯端末ユーザは、同一の挿入部２０に、自己の気分やＴＰＯに合わせて様々な装飾部３０を容易に付け替えることができるので、携帯端末ユーザは自己の気分やＴＰＯに合わせて様々な装飾を携帯端末に施して楽しむことができる。また、携帯端末ユーザが長期間同一の挿入部２０を含む携帯端末用アクセサリを使用したことにより摩耗等によって挿入部が劣化・損傷した場合でも、挿入部２０のみを交換することによって、同じ装飾部３０を長期間継続して使用することができる。
【００３２】
本考案に係る携帯端末用アクセサリは、このような取り替え可能な構造を有することにより、貴金属や宝石等を用いた高価な装飾を施した装飾部であっても継続して長期間愛用することができる。また、安価な装飾部であっても様々なデザイン・大きさ・材質の装飾部を適宜付け替えて使用することができるため、携帯端末ユーザの個性や好みをより多様な形で表現することができる。
【００３３】
また、挿入部２０の携帯端末に挿入される側である先端部２３は、先に向かって細くなる形状を有してもよい。ただし、先端部２３は必ずしも鋭利な形状である必要はなく、挿入部２０の他の部分の太さに比較して細いものであれば足りる。
【００３４】
さらに、挿入部２０の外形を形成する円柱の外周には複数の溝２４、２６，２８が形成されていてもよい。図１及び図２には挿入部２０の外周に３つの溝が形成された例を図示したが、本考案の挿入部２０の形状はこれに限られるものではなく、挿入部２０において溝の形成される位置や個数は携帯端末２００のジャック孔２２０に挿入可能な形状である限り、任意に変更されてもよい。
【００３５】
このような挿入部２０の外形を形成する円柱の外周に複数の溝２４、２６，２８が形成されるという構造により、本考案にかかる携帯端末用アクセサリ１００を携帯端末２００のジャック孔２２０に差し込み嵌合する際に、携帯端末用アクセサリ１００がジャック孔２２０内部に安定的に嵌合されるため、携帯端末用アクセサリ１００をジャック孔２２０から意図的に引き抜こうとしない限り、不意に携帯端末用アクセサリ１００がジャック孔２２０から抜け落ちることを防止することができる。
【００３６】
挿入部の材質は、雄ネジ部２２や先端部２３、溝２４，２６，２８等の形成を容易にし、かつ、携帯端末２００のジャック孔２２０内部に形成されている接続端子との電気的接触を回避するために、絶縁性を有する樹脂等の材質であることが望ましい。
【００３７】
挿入部は、例えばポリアセタール、アセタール樹脂、又はポリアセタール樹脂であってもよい。ポリアセタールは非晶部分と結晶部分とが混在するため、強度、弾性、耐衝撃性に優れたプラスチックである。本考案の挿入部の材質としてはポリアセタールのような強度、弾性、耐衝撃性に優れた材質を用いることができる。
【００３８】
本件考案にかかる携帯端末用アクセサリは、このように携帯端末のジャック孔の形状に対応して形成され、ジャック孔に差し込み嵌合することのできる挿入部２０を有するため、ストラップ等を付けるためのストラップホールが形成されていない携帯端末にも装着することができ、様々な携帯端末に対して装着し携帯端末を多様に装飾することができる。
【００３９】
また、本件考案にかかる携帯端末用アクセサリにかかる挿入部２０は携帯端末のジャック孔に差し込まれ嵌合されて使用されるため、内部にイヤホン端子が形成されたジャック孔の内部にほこりや水が浸入するのをある程度防ぐことができる。
【００４０】
次に図２（Ａ）及び図３から図６を参照して、装飾部３０の具体的な構造について説明する。図３（Ａ）に示すように、装飾部３０は任意の装飾が施されたアクセサリ部３６とその上にアクセサリ部３６が形成される基礎となる基礎部３４とを有する。
【００４１】
図４に示すように、基礎部３４は略円筒状の外形を有し、円筒の一方の底に開口が形成され、開口の内部には雌ネジ部３２が形成されてもよい。雌ネジ部３２は、挿入部２０の携帯端末に挿入される側に対向する側の端部に形成される雄ネジ部２２と螺合することにより、先に述べたように装飾部３０と挿入部２０とを脱着可能に接続するという機能を有する。
【００４２】
図４に示すように、基礎部３４は筒部３１と縁部３３とを有してもよい。また、図５に示すように、縁部３３は筒部３１を構成する他の部分よりも肉厚であり、筒部３１の外周に比べて太い外周を有するものでもよい。また、図３（Ａ）及び図３（Ｂ）に示すように、アクセサリ部３６は基礎部３４の筒部３１の上を覆うように形成されてもよく、縁部３４の上にはアクセサリ部３６が形成されないようにしてもよい。基礎部３４とアクセサリ部３６との接合関係は、アクセサリ部３６が基礎部３４の上に形成されていれば足り、その他の接合関係はアクセサリ部の形状・デザイン・材質等に応じて任意に設定されてもよい。
【００４３】
図６に示すように、基礎部３４の内部には雌ネジ部３２が形成されている。雌ネジ部３２は挿入部２０の雄ネジ部２２に対応する形状に形成されており、雄ネジ部２２と螺合される形状であればネジ山の数や形状等は任意のもので足り、添付の図に示す例に限定されるものではない。
【００４４】
基礎部３４の材質は、内部に雌ネジ部３２を形成することができるようなものであれば足り、例えば銀、金、プラチナ等の貴金属、その他の金属であってもよい。
【００４５】
アクセサリ部３６は基礎部３４の上に形成可能なものであればどのような大きさ・素材・デザインであってもよい。図２（Ａ）、図３（Ａ）等では王冠の形状を有するアクセサリ部３６を示したが、アクセサリ部はその他の形状も広く含み、例えばドクロの形状、ハートの形状、その他の形状を有するものとしてもよい。
【００４６】
また、アクセサリ部３６に用いられる材質も一般に装飾品として用いられるあらゆる材質を用いることが可能であり、例えば銀で形成された王冠の頂上にクリスタルガラスがはめ込まれているような形状のものをアクセサリ部とすることもできる。
【００４７】
アクセサリ部３６には例えば一つ又は複数の宝石や貴石、真珠等を用いてもよく、その他にも例えば金属、樹脂、クリスタル、プラスチック又はガラス、あるいは布や木材などの天然素材を用いてもよく、又はこれらの材質のいくつかを組み合わせたものでもよい。
【００４８】
また、アクセサリ部３６は立体的なデザインのものであってもよいし、平面的なデザインのものであってもよい。
【００４９】
次に、図７及び図８を参照して本考案にかかる携帯端末用アクセサリ１００を携帯端末２００に装着した状態を説明する。
【００５０】
図７は図１に示した携帯端末用アクセサリ１００を携帯端末２００のジャック孔２２０（図８（Ａ）参照）に装着した状態を示す正面平面図である。図７及び図８においては携帯端末２００として携帯電話を図示したが、本考案にかかる携帯端末２００はこれに限られるものではなく、例えば音楽再生用の携帯端末、電子書籍閲覧用の携帯端末等であってもよく、イヤホンプラグを挿入するためのジャック孔が形成されている機器であればどのようなものでもよい。図７及び図８に一例として示す携帯端末２００は、図７に示すように正面に受話口１２０とディスプレイ１４０と操作ボタン１６０とを有し、図８に示すように上面に電源ボタン２４０とジャック孔２２０とを有する。
【００５１】
図７に示すように、携帯端末用アクセサリ１００を携帯端末２００のジャック孔２２０に差し込み嵌合させると、携帯端末用アクセサリ１００は基礎部３４及びアクセサリ部３６からなる装飾部３０が携帯端末２００のジャック孔２２０の外部に突出した状態でジャック孔２２０内に嵌合される。携帯端末用アクセサリ１００を携帯端末２００から取り外す場合には、外部に突出している装飾部３０を指でつかんで上部に引き抜くことによって携帯端末用アクセサリ１００を携帯端末２００から取り外すことができる。
【００５２】
図８に示すように、携帯端末用アクセサリ１００が装着される位置は携帯端末に形成されたジャック孔２２０の位置に対応する。したがって、携帯端末用アクセサリ１００を取り付けようとする携帯端末２００の構造に応じて、図７及び図８に示す位置とは異なる位置に携帯端末用アクセサリ１００が装着されてもよい。
【００５３】
図８（Ａ）は携帯端末用アクセサリ１００を装着する前の携帯端末２００の一例を示す上面平面図であり、図８（Ｂ）は図８（Ａ）に示す携帯端末２００において携帯端末用アクセサリ１００を装着した後の携帯端末２００の上面平面図である。携帯端末用アクセサリ１００は携帯端末に形成されたジャック孔２２０に差し込み嵌合されて装着される。
【符号の説明】
【００５４】
１００  携帯端末用アクセサリ
２０  挿入部
２２  雄ネジ部
３０  装飾部
３１  筒部
３２  雌ネジ部
３３  縁部
３４  基礎部
３６  アクセサリ部
２００  携帯端末
２２０  ジャック孔
【図１】
0003170868.tif 000003
【図２】
0003170868.tif 000004
【図３】
0003170868.tif 000005
【図４】
0003170868.tif 000006
【図５】
0003170868.tif 000007
【図６】
0003170868.tif 000008
【図７】
0003170868.tif 000009
【図８】
0003170868.tif 000010